(57)【特許請求の範囲】
【請求項１】
ＤＮＡ分子と、ＣＨ3 （ＣＨ2 ）16ＣＨ2 Ｎ（ＣＨ3 ）2 、ＣＨ3 （ＣＨ2 ）16ＣＨ2 Ｎ（ＣＨ3 ）3 Ｂｒ、ＣＨ3 （ＣＨ2 ）14ＣＨ2 Ｎ（ＣＨ3 ）2 、ＣＨ3 （ＣＨ2 ）14ＣＨ2 Ｎ（ＣＨ3 ）3 Ｂｒ、ＣＨ3 （ＣＨ2 ）12ＣＨ2 Ｎ（ＣＨ3 ）2 、ＣＨ3 （ＣＨ2 ）12ＣＨ2 Ｎ（ＣＨ3 ）3 Ｂｒ、ＣＨ3 （ＣＨ2 ）7 ＣＨ＝ＣＨ（ＣＨ2 ）7 ＣＨ2 Ｎ（ＣＨ3 ）2 またはＣＨ3 （ＣＨ2 ）7 ＣＨ＝ＣＨ（ＣＨ2 ）7 ＣＨ2 Ｎ（ＣＨ3 ）3 Ｂｒとを配合してなる個人識別用ＤＮＡインク。
【請求項２】
ＤＮＡ分子と、ＣＨ3 （ＣＨ2 ）16ＣＨ2 Ｎ（ＣＨ3 ）2 、ＣＨ3 （ＣＨ2 ）16ＣＨ2 Ｎ（ＣＨ3 ）3 Ｂｒ、ＣＨ3 （ＣＨ2 ）14ＣＨ2 Ｎ（ＣＨ3 ）2 、ＣＨ3 （ＣＨ2 ）14ＣＨ2 Ｎ（ＣＨ3 ）3 Ｂｒ、ＣＨ3 （ＣＨ2 ）12ＣＨ2 Ｎ（ＣＨ3 ）2 、ＣＨ3 （ＣＨ2 ）12ＣＨ2 Ｎ（ＣＨ3 ）3 Ｂｒ、ＣＨ3 （ＣＨ2 ）7 ＣＨ＝ＣＨ（ＣＨ2 ）7 ＣＨ2 Ｎ（ＣＨ3 ）2 またはＣＨ3 （ＣＨ2 ）7 ＣＨ＝ＣＨ（ＣＨ2 ）7 ＣＨ2 Ｎ（ＣＨ3 ）3 Ｂｒとからなるポリイオンコンプレックス化合物を含有する個人識別用ＤＮＡインク。
【請求項３】
ＤＮＡ分子と、ＣＨ3 （ＣＨ2 ）16ＣＨ2 Ｎ（ＣＨ3 ）2 、ＣＨ3 （ＣＨ2 ）16ＣＨ2 Ｎ（ＣＨ3 ）3 Ｂｒ、ＣＨ3 （ＣＨ2 ）14ＣＨ2 Ｎ（ＣＨ3 ）2 、ＣＨ3 （ＣＨ2 ）14ＣＨ2 Ｎ（ＣＨ3 ）3 Ｂｒ、ＣＨ3 （ＣＨ2 ）12ＣＨ2 Ｎ（ＣＨ3 ）2 、ＣＨ3 （ＣＨ2 ）12ＣＨ2 Ｎ（ＣＨ3 ）3 Ｂｒ、ＣＨ3 （ＣＨ2 ）7 ＣＨ＝ＣＨ（ＣＨ2 ）7 ＣＨ2 Ｎ（ＣＨ3 ）2 またはＣＨ3 （ＣＨ2 ）7 ＣＨ＝ＣＨ（ＣＨ2 ）7 ＣＨ2 Ｎ（ＣＨ3 ）3 Ｂｒとを配合してなる個人識別用ＤＮＡインクから形成されるＤＮＡインク薄膜の表面パターン模様が、基板上に個人識別情報として記録されている個人識別用媒体。
【請求項４】
ＤＮＡ分子と、ＣＨ3 （ＣＨ2 ）16ＣＨ2 Ｎ（ＣＨ3 ）2 、ＣＨ3 （ＣＨ2 ）16ＣＨ2 Ｎ（ＣＨ3 ）3 Ｂｒ、ＣＨ3 （ＣＨ2 ）14ＣＨ2 Ｎ（ＣＨ3 ）2 、ＣＨ3 （ＣＨ2 ）14ＣＨ2 Ｎ（ＣＨ3 ）3 Ｂｒ、ＣＨ3 （ＣＨ2 ）12ＣＨ2 Ｎ（ＣＨ3 ）2 、ＣＨ3 （ＣＨ2 ）12ＣＨ2 Ｎ（ＣＨ3 ）3 Ｂｒ、ＣＨ3 （ＣＨ2 ）7 ＣＨ＝ＣＨ（ＣＨ2 ）7 ＣＨ2 Ｎ（ＣＨ3 ）2 またはＣＨ3 （ＣＨ2 ）7 ＣＨ＝ＣＨ（ＣＨ2 ）7 ＣＨ2 Ｎ（ＣＨ3 ）3 Ｂｒとからなるポリイオンコンプレックス化合物を含有する個人識別用ＤＮＡインクから形成されるＤＮＡインク薄膜の表面パターン模様が、基板上に個人識別情報として記録されている個人識別用媒体。
【請求項５】
ＤＮＡ分子と、ＣＨ3 （ＣＨ2 ）16ＣＨ2 Ｎ（ＣＨ3 ）2 、ＣＨ3 （ＣＨ2 ）16ＣＨ2 Ｎ（ＣＨ3 ）3 Ｂｒ、ＣＨ3 （ＣＨ2 ）14ＣＨ2 Ｎ（ＣＨ3 ）2 、ＣＨ3 （ＣＨ2 ）14ＣＨ2 Ｎ（ＣＨ3 ）3 Ｂｒ、ＣＨ3 （ＣＨ2 ）12ＣＨ2 Ｎ（ＣＨ3 ）2 、ＣＨ3 （ＣＨ2 ）12ＣＨ2 Ｎ（ＣＨ3 ）3 Ｂｒ、ＣＨ3 （ＣＨ2 ）7 ＣＨ＝ＣＨ（ＣＨ2 ）7 ＣＨ2 Ｎ（ＣＨ3 ）2 またはＣＨ3 （ＣＨ2 ）7 ＣＨ＝ＣＨ（ＣＨ2 ）7 ＣＨ2 Ｎ（ＣＨ3 ）3 Ｂｒとを配合してなる個人識別用ＤＮＡインクから形成されるＤＮＡインク薄膜の表面パターン模様が、個人識別情報として記録された個人識別用媒体がカード上に形成されてなるＩＣカード。
【請求項６】
ＤＮＡ分子と、ＣＨ3 （ＣＨ2 ）16ＣＨ2 Ｎ（ＣＨ3 ）2 、ＣＨ3 （ＣＨ2 ）16ＣＨ2 Ｎ（ＣＨ3 ）3 Ｂｒ、ＣＨ3 （ＣＨ2 ）14ＣＨ2 Ｎ（ＣＨ3 ）2 、ＣＨ3 （ＣＨ2 ）14ＣＨ2 Ｎ（ＣＨ3 ）3 Ｂｒ、ＣＨ3 （ＣＨ2 ）12ＣＨ2 Ｎ（ＣＨ3 ）2 、ＣＨ3 （ＣＨ2 ）12ＣＨ2 Ｎ（ＣＨ3 ）3 Ｂｒ、ＣＨ3 （ＣＨ2 ）7 ＣＨ＝ＣＨ（ＣＨ2 ）7 ＣＨ2 Ｎ（ＣＨ3 ）2 またはＣＨ3 （ＣＨ2 ）7 ＣＨ＝ＣＨ（ＣＨ2 ）7 ＣＨ2 Ｎ（ＣＨ3 ）3 Ｂｒとからなるポリイオンコンプレックス化合物を含有する個人識別用ＤＮＡインクから形成されるＤＮＡインク薄膜の表面パターン模様が、個人識別情報として記録された個人識別用媒体がカード上に形成されてなるＩＣカード。
【請求項７】
ＤＮＡ分子と、ＣＨ3 （ＣＨ2 ）16ＣＨ2 Ｎ（ＣＨ3 ）2 、ＣＨ3 （ＣＨ2 ）16ＣＨ2 Ｎ（ＣＨ3 ）3 Ｂｒ、ＣＨ3 （ＣＨ2 ）14ＣＨ2 Ｎ（ＣＨ3 ）2 、ＣＨ3 （ＣＨ2 ）14ＣＨ2 Ｎ（ＣＨ3 ）3 Ｂｒ、ＣＨ3 （ＣＨ2 ）12ＣＨ2 Ｎ（ＣＨ3 ）2 、ＣＨ3 （ＣＨ2 ）12ＣＨ2 Ｎ（ＣＨ3 ）3 Ｂｒ、ＣＨ3 （ＣＨ2 ）7 ＣＨ＝ＣＨ（ＣＨ2 ）7 ＣＨ2 Ｎ（ＣＨ3 ）2 またはＣＨ3 （ＣＨ2 ）7 ＣＨ＝ＣＨ（ＣＨ2 ）7 ＣＨ2 Ｎ（ＣＨ3 ）3 Ｂｒとを配合してなる個人識別用ＤＮＡインクから形成されるＤＮＡインク薄膜の表面パターン模様が、個人識別情報として記録された個人識別用媒体と、
該個人識別用媒体に記録される前記個人識別情報を含む固有情報が予め登録格納される固有情報格納手段、及び前記個人識別用媒体に対応する前記固有情報の検索と書き換えの全体制御を行う制御手段を有するホストコンピュータと、
前記個人識別用媒体の装着によって該個人識別用媒体の個人識別情報を検出する光学センサ、該光学センサが検出する検出個人識別情報を前記ホストコンピュータから取込む個人識別情報と比較照合し、前記検出個人識別情報の真偽性の判定を行う判定手段、及び前記個人識別用媒体の記録情報を読み取って、情報の書き換えを行う個人識別用媒体処理手段を有し、ネットワークを介して前記ホストコンピュータに接続されるリーダライタユニットとを有する個人識別システム。
【請求項８】
ＤＮＡ分子と、ＣＨ3 （ＣＨ2 ）16ＣＨ2 Ｎ（ＣＨ3 ）2 、ＣＨ3 （ＣＨ2 ）16ＣＨ2 Ｎ（ＣＨ3 ）3 Ｂｒ、ＣＨ3 （ＣＨ2 ）14ＣＨ2 Ｎ（ＣＨ3 ）2 、ＣＨ3 （ＣＨ2 ）14ＣＨ2 Ｎ（ＣＨ3 ）3 Ｂｒ、ＣＨ3 （ＣＨ2 ）12ＣＨ2 Ｎ（ＣＨ3 ）2 、ＣＨ3 （ＣＨ2 ）12ＣＨ2 Ｎ（ＣＨ3 ）3 Ｂｒ、ＣＨ3 （ＣＨ2 ）7 ＣＨ＝ＣＨ（ＣＨ2 ）7 ＣＨ2 Ｎ（ＣＨ3 ）2 またはＣＨ3 （ＣＨ2 ）7 ＣＨ＝ＣＨ（ＣＨ2 ）7 ＣＨ2 Ｎ（ＣＨ3 ）3 Ｂｒとからなるポリイオンコンプレックス化合物を含有する個人識別用ＤＮＡインクから形成されるＤＮＡインク薄膜の表面パターン模様が、個人識別情報として記録された個人識別用媒体と、
該個人識別用媒体に記録される前記個人識別情報を含む固有情報が予め登録格納される固有情報格納手段、及び前記個人識別用媒体に対応する前記固有情報の検索と書き換えの全体制御を行う制御手段を有するホストコンピュータと、
前記個人識別用媒体の装着によって該個人識別用媒体の個人識別情報を検出する光学センサ、該光学センサが検出する検出個人識別情報を前記ホストコンピュータから取込む個人識別情報と比較照合し、前記検出個人識別情報の真偽性の判定を行う判定手段、及び前記個人識別用媒体の記録情報を読み取って、情報の書き換えを行う個人識別用媒体処理手段を有し、ネットワークを介して前記ホストコンピュータに接続されるリーダライタユニットとを有する個人識別システム。
【請求項９】
前記個人識別用媒体をＩＣカードの形で用いる請求項７または８記載の個人識別システム。
【発明の詳細な説明】
【０００１】
【発明の属する技術分野】
本発明は、ＤＮＡ（deoxyribonucleic acid ）分子を含有する個人識別用ＤＮＡインクと、ＤＮＡインク薄膜を識別素子とする個人識別用媒体および個人識別システムに関する。
【０００２】
【従来の技術】
近年はカード社会と言われるように、金融機関のＡＴＭ（Automatic Teller's Machine）やＣＤ（Cash Dispenser）に使用されるキャッシュカード、デパート、ホテルなどで使用されるクレジットカードなどの他にも、本人確認の身分証ともなる運転免許証、パスポート、社員証などのカードも広く使用されている。
これらのカードとしては磁気カードやＩＣカードが使用され、磁気カードでは磁気ストライブ部分にＩＣカードでは個人識別部分に、例えばパスワードが個人識別データとして書き込まれており、本人がカード使用時に提示するパスワードとの一致を判定して本人の確認を行っている。
【０００３】
【発明が解決しようとする課題】
しかし、この種のカードを、店舗などの取引現場やネットワーク上で使用する際に、個人識別情報であるパスワードが盗み取られることがあり、盗み取られたパスワードを使用して偽造カードが製造利用される問題が発生している。
この防止策として、本人の顔写真をカードに記録する方法が取られているが、本人の顔写真は、盗撮などの手段で入手することも可能であり、この方法でカード偽造を完全に防止することはできない。
【０００４】
本発明は、前述したようなこの種のカードの偽造の現状に鑑みてなされたものであり、その第１の目的は、ＤＮＡ分子に基づき作成され、偽造されることなく個人識別に使用されるインク薄膜を形成するＤＮＡインクを提供することにある。
また、本発明の第２の目的は、ＤＮＡ分子に基づき作成されるＤＮＡ薄膜の表面パターン模様に基づいて、個人識別を行う個人識別用媒体、該個人識別用媒体が設けられたＩＣカード、及び該個人識別用媒体を使用する個人識別システムを提供することにある。
【０００５】
【課題を解決するための手段】
前記第１の目的を達成するために、請求項１記載の発明は、ＤＮＡ分子を含有することを特徴とする個人識別用ＤＮＡインクを提供する。ここで、個人識別用ＤＮＡインクは、ＤＮＡ分子と、有機アミンまたはカチオン性界面活性剤とを配合することが好ましく、さらに、ＤＮＡ分子と、有機アミンまたはカチオン性界面活性剤とからなるＤＮＡ／有機アミンポリイオンコンプレックス化合物を含有することが好ましい。
【０００６】
次に本発明による個人識別用ＤＮＡインクについて説明する。
本発明の個人識別用ＤＮＡインクは、ＤＮＡ分子の水溶液に、好ましくは有機アミンまたはカチオン性界面活性剤を混合する。ＤＮＡ分子原料としては、人に限らず、広くＤＮＡを有する生物体から調製することができる。あるいはＤＮＡ分子水溶液それ自体であってもよい。
【０００７】
ＤＮＡ分子のリン酸基と、有機アミンまたはカチオン性界面活性剤の極性基とが反応することにより、ＤＮＡ／有機アミンポリイオンコンプレックス化合物の溶液が形成される。この化合物は水に不溶性なので、溶液を濾過した後にトルエンや塩化メチレンなどの有機溶媒に溶解させることにより個人識別用ＤＮＡインクが作製される。あるいは、ＤＮＡ分子と、有機アミンまたはカチオン性界面活性剤とを配合することで直接調製してもよい。
【０００８】
このＤＮＡインクをＳｉやプラスチックの基板上にキャストすることにより、複雑なパターン模様を有するＤＮＡインク薄膜が形成される。
【０００９】
ここで、有機アミンは、下記一般式（１）：
【００１０】
【化３】
Ｒ１ −ＮＲ２ Ｒ３   …（１）
【００１１】
（式中、Ｒ１ は炭素原子数が５〜２５のアルキル基またはアルケニル基を示し、Ｒ２ およびＲ３ は同一または異なり、Ｈ、ＣＨ３ またはＣＨ２ ＣＨ３ を示す。）  で表されるものであることが望ましい。
【００１２】
ＤＮＡ分子とポリイオンコンプレックス化合物を形成する有機アミン類は、ＤＮＡ分子のリン酸基とイオン結合することが必要で、このイオン結合のために、カチオン性の大きなアミンが使用される。有機アミン酸には、１級、２級、３級の種別があり、級数が増えるとカチオン性が増大するので、３級アミンを使用することが望ましい。
【００１３】
また、アミンの立体障害を低減させるために、Ｒ２ およびＲ３ として大きな原子団は好ましくなく、−ＣＨ３ 、−ＣＨ２ ＣＨ３ 程度のものが適当である。Ｒ１に関しては、炭素数が４以下であると、有機溶媒への溶解性が非常に低くなり、基板上に薄膜を形成することができなくなる。さらに、炭素数が２６以上になると、水への溶解性がなくなり、水溶液中でＤＮＡ分子とポリイオンコンプレックスを形成することができなくなる。
【００１４】
本発明で用いられるカチオン性界面活性剤としては、例えば、下記一般式（２）：
【００１５】
【化４】
Ｒ１ −Ｎ＋ Ｒ２ Ｒ３ Ｒ４ ・Ｘ−   …（２）
【００１６】
（式中、Ｒ１ は炭素原子数が５〜２５のアルキル基またはアルケニル基を示し、Ｒ２ ，Ｒ３ およびＲ４ は同一または異なり、ＣＨ３ またはＣＨ２ ＣＨ３ を示し、Ｘはハロゲン原子を示す。）
で表されるものが挙げられる。
【００１７】
さらに前記第２の目的を達成するために、請求項６記載の個人識別用媒体の発明は、ＤＮＡ分子を含有する個人識別用ＤＮＡインクから形成されるＤＮＡインク薄膜の表面パターン模様が、基板上に個人識別情報として記録されていることを特徴とするものである。ここで、ＤＮＡインク薄膜の膜厚としては、０．０１〜１０μｍが適当である。また基板としては、例えばシリコン基板、ガラス基板、銀，金等の金属基板、プラスチック基板等が挙げられる。
【００１８】
このような手段によると、ＤＮＡインク薄膜の表面パターン模様は、遺伝子の本体をなすＤＮＡの二重螺旋状の塩基対に基づいて、複雑なパターン模様となり、この表面パターン模様を個人識別情報として使用することにより、個人識別用媒体の偽造が完全に防止される。
【００１９】
同様に前記第２の目的を達成するために、請求項７記載のＩＣカードに係る発明は、ＤＮＡ分子を含有する個人識別用ＤＮＡインクから形成されるＤＮＡインク薄膜の表面パターン模様が、個人識別情報として記録された個人識別用媒体がカード上に形成されてなることを特徴とするものである。
【００２０】
このような手段によると、ＤＮＡインク薄膜は複雑なパターン模様となり、この表面パターン模様が個人識別情報として記録された個人識別用媒体がカード上に記録されているので、ＩＣカードの偽造が完全に防止される。
【００２１】
同様に前記第２の目的を達成するために、請求項８記載の個人識別システムに係る発明は、ＤＮＡ分子を含有する個人識別用ＤＮＡインクから形成されるＤＮＡインク薄膜の表面パターン模様が、個人識別情報として記録された個人識別用媒体と、
該個人識別用媒体に記録される前記個人識別情報を含む固有情報が予め登録格納される固有情報格納手段、及び前記個人識別用媒体に対応する前記固有情報の検索と書き換えの全体制御を行う制御手段を有するホストコンピュータと、
前記個人識別用媒体の装着によって該個人識別用媒体の個人識別情報を検出する光学センサ、該光学センサが検出する検出個人識別情報を前記ホストコンピュータから取込む個人識別情報と比較照合し、前記検出個人識別情報の真偽性の判定を行う判定手段、及び前記個人識別用媒体の記録情報を読み取って、情報の書き換えを行う個人識別用媒体処理手段を有し、ネットワークを介して前記ホストコンピュータに接続されるリーダライタユニットと
を有することを特徴とするものである。
【００２２】
このような手段によると、ＤＮＡインク薄膜は複雑なパターン模様となり、この表面パターン模様が個人識別情報として個人識別用媒体に記録されているので、個人識別用媒体の偽造が完全に防止され、個人識別用媒体と利用者とを正確に対応付けた状態で、ネットワークを介して、個人識別用媒体が安全且つ効率的に利用される。
【００２３】
同様に前記第２の目的を達成するために、請求項９記載の個人識別システムに係る発明は、個人識別用媒体をＩＣカードの形で用いることを特徴とするものである。
【００２４】
このような手段によると、ＤＮＡインク薄膜は複雑なパターン模様となり、この表面パターン模様が個人識別情報として個人識別用媒体に記録されているので、ＩＣカードの偽造が完全に防止され、ＩＣカードと利用者とを正確に対応付けた状態で、ネットワークを介して、ＩＣカードが安全且つ効率的に利用される。
【００２５】
【発明の実施の形態】
以下に、本発明を、図１及び図２を参照しながら、ＤＮＡインクに係る一実施の形態と、ＤＮＡインク薄膜を識別素子とする個人識別システムに係る一実施の形態とに基づいて説明する。
図１は本発明のＤＮＡインク薄膜を識別素子とする個人識別システムに係る一実施の形態の構成を示すブロック図、図２は本実施の形態のＤＮＡインク薄膜表面のＤＮＡパターン模様の説明図である。
【００２６】
先ず、ＤＮＡインクに係る一実施の形態について説明する。
本実施の形態において、ＤＮＡインクは以下のようにして作製される。
本実施の形態では、生体として鮭を使用し、鮭のＤＮＡ分子の水溶液に、後述する有機アミンあるいはカチオン性界面活性剤を混合して、ＤＮＡ分子のリン酸基と、アミノ基あるいはアンモニウム基の極性基とを反応させ、ＤＮＡ・有機アミンのポリイオンコンプレックス化合物の溶液が形成される。この化合物は水に不溶性なので、溶液を濾過した後にトルエンや塩化メチレンなどの有機溶媒に溶解させることによりＤＮＡインクが作製される。
このＤＮＡインクをＳｉやプラスチックの基板上にキャストすることにより、ＤＮＡ・有機アミンのポリイオンコンプレックス化合物のＤＮＡインク薄膜が形成される。
【００２７】
個人識別用ＤＮＡインク製造の実施例では、ＤＮＡ分子０．５ｇを水２００ｍｌに溶解させてＤＮＡ水溶液を作製し、有機アミン類或いはカチオン性界面活性剤を４．５ｍｍｏｌの濃度になるように添加する。この溶液を超音波洗浄機で、約１０分間洗浄すると沈殿物が生成するので、この沈殿物を濾過するとＤＮＡポリイオンコンプレックス化合物が得られる。このＤＮＡポリイオンコンプレックス化合物をエタノールなどの有機溶媒に溶解させて１ｍｍｏｌ溶液を調製する。
表１に各実施例で製造に使用した有機アミン類、或いはカオチン性界面活性剤を示す。
【００２８】
【表１】
0004759803.tif 000002
【００２９】
このようにして製造されたＤＮＡインク２ｍｌをＳｉ基板上に滴下し、約６０℃で３０分間加熱処理して媒体を作製する。ＤＮＡインク薄膜の膜厚は０．０１μｍから１０μｍとした。
このようにして形成されるポリイオンコンプレックス化合物のＤＮＡインク薄膜の表面には、遺伝子の本体をなすＤＮＡの二重螺旋状の塩基対に基づき、表２に示すように、各実施例ではいずれも複雑なパターン模様が形成されていた。
【００３０】
【表２】
0004759803.tif 000003
【００３１】
この場合、ＤＮＡインク薄膜の表面に白色光を照射して、薄膜表面からの反射光を検出して、ＤＮＡパターン模様を画像表示させると、例えば図２に示すようなＤＮＡパターン模様が得られる。このＤＮＡパターン模様は、単位領域として、例えば、図２でＸ座標（Ｘｎ〜Ｘｎ＋α）、Ｙ座標（Ｙｍ〜Ｙｍ＋β）の単位領域を選択し、その部分パターン模様２５を検出すると、座標値を変えた何れの位置から選択される単位領域の部分パターン模様も互いに異なるパターン模様となり、同一の部分パターン模様が抽出されることはないという特性がある。
【００３２】
このようにして、本実施の形態で得られるＤＮＡインク薄膜表面のＤＮＡパターン模様は、遺伝子の本体をなすＤＮＡの二重螺旋状の塩基対に基づく複雑な模様となり、このＤＮＡパターン模様から選択した単位領域の部分パターン模様は、選択位置で互いに異なった部分パターン模様となるので、各選択位置の部分パターン模様を、それぞれの個人の識別情報に対応付けることにより、偽造されることのない個人識別情報として利用することが可能になる。
【００３３】
次いで、ＤＮＡインク薄膜を個人識別素子とする個人識別システムに係る一実施の形態について説明する。
本実施の形態では、図１に示すように、装着されるＩＣカード１の個人識別用媒体２から個人情報を検出し、さらに、ＩＣカード１のＥＥＰＲＯＭ（Electrically Erasable Programmable Read Only Memory）３に対するデータの読出、消去及び書込を行うリーダライタ６が設けられ、このリーダライタ６に、ＩＣカードから検出した個人識別データと、ホストコンピュータ８に登録されている個人識別データとを照合判断して、ＩＣカードの個人識別データの真偽を判定する個人識別判定器７が接続されている。本実施の形態では、リーダライタ６と個人識別判定機７がリーダライタユニットＡを構成し、個人識別判定器７が、ネットワークを介して、全体動作の制御を行うホストコンピュータ８に接続されている。
【００３４】
ＩＣカード１には、制御動作を行うＣＰＵ５、データの読出・書込と消去とが行われるＥＥＰＲＯＭ３、及び個人識別データの検出が行われる個人識別用媒体２が設けられ、個人識別用媒体２の表面には、すでに説明したＤＮＡインクの薄膜が形成されている。
このＤＮＡパターン模様は、極めて複雑で単位面積の微小領域の部分パターン模様を抽出した場合に、抽出される単位領域の位置に応じて、部分パターン模様はそれぞれ異なり、同一の部分パターン模様が抽出される確率は０に限りなく近い。
【００３５】
この特性を利用して、本実施の形態では、図２に示すＤＮＡパターン模様２４が、単位領域ごとに複数の利用者にそれぞれ対応付けられ、各個人情報を示す部分パターン模様として、登録時にホストコンピュータ８に格納されており、例えば、同図に示すように、Ｘ座標がＸｎ〜Ｘｎ＋αで、Ｙ座標がＹｍ〜Ｙｍ＋βの単位領域の部分パターン模様２５が、利用者Ａの個人情報に選択されている。
そして、個人識別用媒体２の表面には、利用者Ａの部分パターン模様２５のＤＮＡインク薄膜が形成され、ホストコンピュータ８には利用者Ａの個人情報として、部分パターン模様２５の画像データが格納されている。
【００３６】
図１に戻って、リーダライター６には、ＩＣカード１の個人識別用媒体２から個人識別データを検出する光学センサ１０が設けられ、光学センサ１０には検出信号を出力する検出信号出力回路１１が接続され、さらにリーダライター６には、ＩＣカード１に対して、データの読出・書込動作と消去動作とを制御するリードライトコントローラ１２が設けられている。
また、個人識別判定器７には、個人識別用媒体２のＤＮＡインク薄膜表面の部分パターン模様に基づいて、識別パターンを再生する識別パターン再生回路１３、再生された識別パターンとホストコンピュータ８に格納されている個人識別データである部分パターンの画像データとを比較照合し、個人識別用媒体２に記録されている部分パターン模様の真偽の判定を行う判定回路１４、判定結果を表示する表示器１５、ホストコンピュータ８とのインタフェース動作を行うインタフェース１６が設けられいる。
そして、識別パターン再生回路１３の出力端子が、判定回路１４とインタフェース１６の入力端子に接続され、判定回路１４の出力端子が表示器１５の入力端子に接続され、リーダライター６のリードライトコントローラ１２の出力端子が、インタフェース１６の他の入力端子に接続されている。
【００３７】
一方、ホストコンピュータ８では、全体の動作を制御するＣＰＵ１７が、バスＢを介して、制御プログラムが格納されるＲＯＭ１８、制御動作時に各種のデータの書込・読出が行われるＲＡＭ２０、利用者の個人識別データを含む固有情報が格納される個人データメモリ２１、動作時に各種の演算を行う演算回路２２、及び個人識別判定器７とのインタフェース動作を行うインタフェース２３に接続されている。そして、個人データメモリ２１には、利用者の単位領域に対応する部分パターン模様の画像データが格納されており、インタフェース１６の出力端子が、ネットワークを介して、インタフェース２３の入力端子に接続され、インタフェース２３の入出力端子が、ネットワークを介して、判定回路１４の入出力端子に接続されている。
【００３８】
このような構成の本実施の形態の動作を説明する。
図２に示す部分パターン模様２５が、個人識別データとして登録されている利用者Ａが、ＩＣカード１をクレジットカードとして利用して店舗での買物の清算をする場合で説明すると、買物を済ませた利用者のＩＣカード１が店舗に配置されているリーダライタ６の装着口に挿入装着されると、光学センサ１０の発光部１０ａから白色光が、個人識別用媒体２の表面に照射される。
この照射光によって、個人識別用媒体２の表面のＤＮＡインク薄膜が照射されると、ＤＮＡインク薄膜の部分パターン模様からの反射光が、光学センサ１０の受光部１０ｂに入射し、受光部１０ｂが受光する部分パターンの光像が、光学センサ１０で電気信号に光電変換され、光学センサ１０から受光光像に対応する部分パターンの画像信号が出力され、検出信号出力回路１１で波形整形され、個人ＩＤが付加されて、個人識別用媒体２の識別パターン再生回路１３に入力される。
【００３９】
識別パターン再生回路１３では、入力される部分パターンの画像信号から個人ＩＤを検出し、インタフェース１６からネットワークを介してホストコンピュータ８に送信すると共に、入力される画像信号に基づく部分模様データを判定回路１４に入力する。
個人識別判定器７からの個人ＩＤは、ホストコンピュータ８のインタフェース２３に入力され、ＣＰＵ１７の指令によつて作動する演算回路２２により、入力された個人ＩＤに対応する個人識別データが、個人データメモリ２１から検索され、検索された個人識別データは、インタフェース２３から、ネットワークを介して個人識別判定器７に送信され判定回路１４に入力される。
【００４０】
判定回路１４では、ホストコンピュータ８から入力される個人識別データと、識別パターン再生回路１３からの部分模様データとを比較照合して、部分模様データが個人識別データに一致するか否かの判定を行う。この判定によつて、個人識別データと部分模様データとが一致すると判定されると、利用者ＡのＩＣカードに記録されている部分パターン情報が、ホストコンピュータ８に予め登録されている図２の部分パターン情報２５に一致することになり、判定回路１４からホストコンピュータ８に、識別一致信号が送信されると共に、個人識別判定器７の表示器１５に識別一致のメッセージが表示される。
【００４１】
ここで、店舗の店員は表示器１５の識別一致のメッセージを確認して、利用者Ａの個人識別が無事に済んだことを知り、ＩＣカード１に対してリーダライタ６を操作して、利用者Ａの買物の請求処理を行い、ホストコンピュータ８に利用者ＡのＩＣカード１の残金確認を行った後に清算処理を行い、ＩＣカード１のＥＥＰＲＯＭ３の金銭記録情報が書き換えられ、利用者Ａに購入商品の引渡しが行われる。
一方、判定回路１４によって、ＩＣカード１の部分模様データと、ホストコンピュータ８に記録されている個人識別データとが一致しないと判定されると、表示器１５に識別不一致の警報メッセージが表示される。この警報メッセージを確認することにより、店舗の店員は現在利用者が提示したＩＣカードが利用不能なことを知り、その旨を利用者に説明して商品の引渡しを中止する。
【００４２】
このように、本実施の形態に係る個人識別システムで利用されるＩＣカード１の個人識別用媒体２の表面には、ＤＮＡインク薄膜が形成され、このインク薄膜表面のＤＮＡパターン模様の選択された単位領域の部分パターン模様が、ＩＣカード１の利用者に対応付けて、個人識別情報として登録されている。
この部分パターン模様は、ＤＮＡパターン模様の選択された単位領域の部分模様であり、ＤＮＡパターン模様は、選択される単位領域の部分パターン模様がそれぞれ異なる模様となるという特性を持っているので、個人識別用媒体２の偽造は完全に不可能になる。そして、この部分パターン模様の画像データが、個人識別データとしてホストコンピュータ８の個人データメモリ２１に格納されており、ＩＣカード１の利用時には、個人識別判定器７でＩＣカード１の個人識別用媒体２の部分パターン模様データと、ホストコンピュータ８の個人データメモリ２１に登録格納されている個人識別データとの一致が判定されるので、ＩＣカード１が偽造されることがなく、ＩＣカードを利用者に適確に対応付けて安全に利用することが可能になる。
【００４３】
なお、ＤＮＡインクに係る実施の形態では、鮭のＤＮＡを利用してＤＮＡインクを製造する場合を説明したが、本発明はこの実施の形態に限定されるものではなく、他の生体のＤＮＡを使用することが可能であり、場合によっては利用者自体のＤＮＡを使用することも可能である。
また、ＤＮＡインク薄膜を個人識別素子とする個人識別システムに係る実施の形態では、ＩＣカードが、店舗で使用される接触型のクレジットカードの場合を説明したが、本発明はこの実施の形態に限定されるものではなく、非接触型ＩＣカードを使用し、例えば、高速道路の料金支払いゲートで自動的に料金の支払いを行うＥＴＣ（ノンストップ自動料金収受システム）に利用することも可能である。
【００４４】
【発明の効果】
請求項１〜５記載の発明に係る個人識別用ＤＮＡインクによると、このインクを用いて形成されるＤＮＡインク薄膜の表面パターン模様が、複雑なパターン模様となり、この表面パターン模様を個人識別情報として使用することが可能になる。
【００４５】
請求項６記載の発明に係る個人識別用媒体には、ＤＮＡインク薄膜の複雑な表面パターン模様が個人識別情報として使用されるので、個人識別用媒体の偽造を完全に防止することが可能になる。
【００４６】
請求項７記載の発明に係るＩＣカードは、個人識別用媒体がカード上に形成されているので、上記の個人識別用媒体の作製が容易で、かつ使用性も良いものとなる。
【００４７】
請求項８記載の発明に係る個人識別システムによると、個人識別用媒体には、ＤＮＡ分子を使用して作製されるＤＮＡインクで形成されるＤＮＡインク薄膜の表面パターン模様が、個人識別情報として記録されており、ホストコンピュータにおいては、固有情報格納手段に個人識別用媒体に記録される個人識別情報を含む固有情報が予め登録格納されており、制御手段によつて、個人識別用媒体に対応する固有情報の検索と書き換えの全体制御が行われる。この場合、ホストコンピュータにネットワークを介して接続されるリーダライタユニットにおいては、個人識別用媒体の装着によって、光学センサが個人識別用媒体の個人識別情報を検出し、判定手段が検出個人識別情報を、ホストコンピュータから取込む個人識別情報と比較照合して、検出個人識別情報の真偽性の判定を行い、個人識別用媒体処理手段が、個人識別用媒体の記録情報を読み取って情報の書き換えを行う。
【００４８】
このような個人識別用媒体の固有情報の判定と書き換えの過程において、ＤＮＡインク薄膜の表面パターン模様は、複雑なパターン模様となり、この表面パターン模様が個人識別情報として個人識別用媒体に記録されているので、偽造を完全に防止することが可能になり、さらに、個人識別用媒体と利用者とを正確に対応付けた状態で、ネットワークを介して、個人識別用媒体を安全且つ効率的に利用することが可能になる。
【００４９】
請求項９記載の発明に係る個人識別システムは、個人識別用媒体がカード上に形成されたＩＣカードとなっているので、上記の個人識別システムの操作性が良くなる。
【図面の簡単な説明】
【図１】本発明のＤＮＡインク薄膜を識別素子とする個人識別システムに係る一実施の形態の構成を示すブロック図である。
【図２】同実施の形態のＤＮＡインク薄膜表面のＤＮＡパターン模様の説明図である。
【符号の説明】
１・・ＩＣカード、２・・個人識別用媒体、６・・リーダライタ、７・・個人識別判定器、８・・ホストコンピュータ、１０・・光学センサ、１４・・判定回路、２１・・個人データメモリ、２４・・ＤＮＡパターン模様、２５・・部分パターン模様。
【図１】
0004759803.tif 000004
【図２】
0004759803.tif 000005